(57)【要約】【課題】集合玄関機からの呼出しを居住者が確実に認識できるようにしたインターホンシステムを提供する。【解決手段】住戸番号を指定するテンキー１１と呼出釦１２とを有する集合玄関機１０と、集合玄関機１０からの呼出し時に通話釦３４を操作して、集合玄関機１０と通話する住宅情報盤３０と、住宅情報盤３０と集合玄関機１０との通話を制御する制御装置２０とを備えたインターホンシステムにおいて、住宅情報盤３０は、集合玄関機１０からの呼出しを検出する第１の呼出検出部３１と、第１の呼出検出部３１が呼出しを検出したときに、集合玄関機からの呼出しであることを音声で出力する音声合成部３６及びスピーカ３７ｂ（音声合成出力部）とを備えたものである。【選択図】図１
2008153819.tif 000002
【特許請求の範囲】
【請求項１】
住戸番号を指定するテンキー及び呼出釦を有する集合玄関機と、
該集合玄関機からの呼出し時に通話手段が操作されて、前記集合玄関機と通話する住宅情報盤と、
該住宅情報盤と前記集合玄関機との通話を制御する制御装置と
を備えたインターホンシステムにおいて、
前記住宅情報盤は、
前記集合玄関機からの呼出しを検出する呼出検出部と、
該呼出検出部が呼出しを検出したときに、集合玄関機からの呼出しであることを音声で出力する音声合成出力部と
を備えたことを特徴とするインターホンシステム。
【請求項２】
前記住宅情報盤は、
前記呼出検出部が呼出しを検出したときに、所定時間毎に、前記音声合成出力部に起動信号を出力する呼出音出力タイマを更に備え、
前記制御装置のタイマによりカウントされるタイムアップまでの間であって、且つ、前記通話手段が操作されるまでの間、前記呼出音出力タイマの起動信号に基づいて所定時間毎に、前記音声を出力することを特徴とする請求項１記載のインターホンシステム。
【請求項３】
前記住宅情報盤と接続されるドアホンを備え、
前記住宅情報盤は、該ドアホンからの呼出しを検出する第２の呼出検出部を更に備え、
前記音声合成出力部は、該第２の呼出検出部が呼出しを検出したときに、ドアホンからの呼出しであることを音声で出力することを特徴とする請求項２記載のインターホンシステム。
【請求項４】
住戸番号を指定するテンキー及び呼出釦を有する集合玄関機と、
該集合玄関機からの呼出し時に通話手段が操作されて、前記集合玄関機と通話する住宅情報盤と、
該住宅情報盤と前記集合玄関機との通話を制御する制御装置と
を備えたインターホンシステムにおいて、
前記住宅情報盤は、
前記集合玄関機からの呼出しを検出する呼出検出部と、
前記呼出検出部が呼出しを検出したときに、所定時間毎に、起動信号を出力する呼出音出力タイマとを備え、前記制御装置のタイマによりカウントされるタイムアップまでの間であって、且つ、前記通話手段が操作されるまでの間、所定時間毎に、呼出音を出力することを特徴とするインターホンシステム。
【請求項５】
住戸番号を指定するテンキー及び呼出釦を有する集合玄関機と、
該集合玄関機からの呼出し時に通話手段が操作されて、前記集合玄関機と通話する住宅情報盤と、
該住宅情報盤と前記集合玄関機との通話を制御する制御装置とを備えたインターホンシステムにおいて、
前記住宅情報盤は、前記集合玄関機からの呼出を検出する呼出検出部と、
該呼出検出部が呼出しを検出したときに、表示部全体または表示部の所定面積を有する一部分を、特定の色で、点滅させるように制御する制御部と
を備えたことを特徴とするインターホンシステム。
【発明の詳細な説明】
【技術分野】
【０００１】
本発明は、集合玄関機、住宅情報盤及び制御装置を備えたインターホンシステムに関する。
【背景技術】
【０００２】
従来、マンションなどの集合住宅にはインターホンシステムが設けられている。このインターホンシステムは、集合玄関に設けられる集合玄関機、各住戸にそれぞれ設けられる住宅情報盤、及び管理人室などに設けられる制御装置を備えており、制御装置により集合玄関機と住宅情報盤とのインターホン通話が制御される。また、住宅情報盤には、住戸の玄関に設けられたドアホンが接続されている。この住宅情報盤には、ドアホンからの呼出しと集合玄関機からの呼出しとがあり、両者を識別できるように、例えばスピーカから出力される呼出し音を変えたり（例えば特許文献１参照）、或いは住宅情報盤の表示部に、どこからの呼出しであるかを文字表示するようにしている。
【特許文献１】特開２００４−１８０１４０号公報
【発明の開示】
【発明が解決しようとする課題】
【０００３】
従来のインターホンシステムでは、上記のように呼出し音を変化させてはいるが、ブザーなどの音の変化だけでは、その呼出し音がドアホンからのものか、集合玄関機からのものであるのかは分かりにくかった。また、ドアホンからの呼出しは、訪問者がドアホンの呼出釦を押せば、その都度、住宅情報盤から呼出し音が出るので、居住者は訪問者がいることを認識できるが、集合玄関機からの呼出しは、通話線を集合住宅全体で共用していることから、制御装置によってタイマで管理され、一度、集合玄関機の呼出釦を押すと、住宅情報盤で一度呼出し音が出力され、その後は、制御装置のタイマによってカウントされる所定時間が経過するまでは、再度、呼出釦を押しても、呼出し音が出力されない。つまり、一度、最初の呼出し音を聞き逃してしまうと、その所定時間の間居住者は訪問者がいることを認識することができない、という問題点があった。
【０００４】
本発明は、このような問題点を解決するためになされたものであり、集合玄関機からの呼出しを居住者が確実に認識できるようにしたインターホンシステムを提供することを目的とする。
【課題を解決するための手段】
【０００５】
本発明に係るインターホンシステムは、住戸番号を指定するテンキーと呼出釦とを有する集合玄関機と、該集合玄関機からの呼出し時に通話手段が操作されて、前記集合玄関機と通話する住宅情報盤と、該住宅情報盤と前記集合玄関機との通話を制御する制御装置とを備えたインターホンシステムにおいて、前記住宅情報盤は、前記集合玄関機からの呼出しを検出する呼出検出部と、該呼出検出部が呼出しを検出したときに、集合玄関機からの呼出しであることを音声で出力する音声合成出力部とを備えたものである。
また、本発明に係るインターホンシステムにおいて、前記住宅情報盤は、前記呼出検出部が呼出しを検出したときに、所定時間毎に、前記音声合成部に起動信号を出力する呼出音出力タイマを更に備え、前記制御装置のタイマによりカウントされるタイムアップまでの間であって、且つ、前記通話手段が操作されるまでの間、前記呼出音出力タイマの起動信号に基づいて所定時間毎に、前記音声を出力する。
また、本発明に係るインターホンシステムは、前記住宅情報盤と接続されるドアホンを備え、前記住宅情報盤は、該ドアホンからの呼出しを検出する第２の呼出検出部を更に備え、前記音声合成出力部は、該第２の呼出検出部が呼出しを検出したときに、ドアホンからの呼出しであることを音声で出力する。
また、本発明に係るインターホンシステムは、住戸番号を指定するテンキー及び呼出釦を有する集合玄関機と、該集合玄関機からの呼出し時に通話手段が操作されて、前記集合玄関機と通話する住宅情報盤と、該住宅情報盤と前記集合玄関機との通話を制御する制御装置とを備えたインターホンシステムにおいて、前記住宅情報盤は、前記集合玄関機からの呼出しを検出する呼出検出部と、前記呼出検出部が呼出しを検出したときに、所定時間毎に、起動信号を出力する呼出音出力タイマとを備え、前記制御装置のタイマによりカウントされるタイムアップまでの間であって、且つ、前記通話手段が操作されるまでの間、所定時間毎に、呼出音を出力する。
また、本発明に係るインターホンシステムは、住戸番号を指定するテンキー及び呼出釦を有する集合玄関機と、該集合玄関機からの呼出し時に通話手段が操作されて、前記集合玄関機と通話する住宅情報盤と、該住宅情報盤と前記集合玄関機との通話を制御する制御装置とを備えたインターホンシステムにおいて、前記住宅情報盤は、前記集合玄関機からの呼出を検出する呼出検出部と、該呼出検出部が呼出しを検出したときに、表示部全体または表示部の所定面積を有する一部分を、特定の色で、点滅させるように制御する制御部とを備えたものである。
【発明の効果】
【０００６】
本発明においては、集合玄関機からの呼出しの際には、住宅情報盤の音声合成出力部により、例えば「集合玄関機から呼出しです」とその旨を音声で出力することができるので、住戸の居住者は、集合玄関機からの呼出しであることを確実に認識することができる。
また、本発明においては、集合玄関機からの呼出しのときは、呼出音出力タイマが、例えば、１０秒毎に音声合成出力部を再起動して音声を出力するので、最初の呼出しの音声を聞き逃しても、住戸の居住者は、集合玄関機に訪問者が居て、呼び出されていることを確実に知ることができる。
また、本発明においては、ドアホンからの呼出しにおいても、音声合成出力部により、例えば「ドアホンから呼出しです」とその旨を音声で出力することができるようにしているので、住戸の居住者は、ドアホンからの呼出しであるか、集合玄関機からの呼出しであるかを容易に識別することができる。
また、本発明においては、制御装置によりカウントされるタイムアップまでの間であって、且つ、通話手段が操作されるまでの間、所定時間毎に、呼出し音を繰り返して出力するようにしたので、呼出し音を聞き逃すおそれがなく、集合玄関機からの呼出しを確実に認識することができる。
また、本発明においては、表示部全体または表示部の所定面積を有する一部分を、特定の色で点滅させるようにし、 ドアホンからの呼出であるか、集合玄関機からの呼出であるかを識別できるようにしたので、耳の遠い又は小さな文字が見にくい高齢者などに特に有効となる。
【発明を実施するための最良の形態】
【０００７】
実施形態１．
図１は本発明の実施形態１に係るインターホンシステムの構成を示すブロック図である。インターホンシステムは、集合玄関機１０、制御装置２０及び住宅情報盤３０から構成されている。集合玄関機１０は、集合玄関に設置され、住戸番号を指定するテンキー１１、呼出釦１２及び通話部１３を備えている。制御装置２０は、例えば管理人室等に設置され、タイマ２１を内蔵しており、集合玄関機１０と住宅情報盤３０との間のインターホン通話を制御する。住宅情報盤３０は、各住戸内に設置され、第１の呼出検出部３１、第２の呼出検出部３２、制御部３３、通話手段としての通話釦３４、呼出音出力タイマ３５、音声合成部３６、通話部３７、スイッチ３８，３９を備えている。通話部３７はマイク３７ａ及びスピーカ３７ｂを備えている。なお、図１の音声合成部３６及びスピーカ３７ｂは本発明の音声合成出力部を構成している。そして呼出音出力タイマ３５は、第１の呼出検出部３１が呼出しを検出したときに、所定時間、例えば１０秒毎に音声合成出力部に起動信号を出力するものである。また、この住宅情報盤３０には住戸の玄関に設置されるドアホン４０が接続されており、このドアホン４０は呼出釦４１及び通話部４２を備えている。
【０００８】
住宅情報盤３０の第１の呼出検出部３１は、制御装置２０を介して集合玄関機１０からの呼出しを検出すると、その呼出し信号及び住戸番号情報を制御部３３に出力する。制御部３３はその呼出し信号が自機に対するものであると判定し、この際、通話釦３４が操作されると、スイッチ３８を閉じる制御をする。これにより、住宅情報盤３０の通話部３７が制御装置２０と接続され、集合玄関機１０と通話を行える。また、住宅情報盤３０の第２の呼出検出部３２は、ドアホン４０からの呼出し信号を検出すると、その呼出し信号を制御部３３に出力する。ここで、通話釦３４が操作されると、制御部３３はスイッチ３９を閉じる制御をする。これにより、ドアホン４０の通話部４２と住宅情報盤３０の通話部３７とが接続される。このように、制御部３３は、第１の呼出検出部３１からの呼出し信号であるか、或いは第２の呼出検出部３２からの呼出し信号であるかによって、集合玄関機１０からの呼出しであるか、或いはドアホン４０からの呼出しであるかを判別することができることから、その判別結果に応じた処理をすることができる。なお、第１の呼出検出部３１は、上記の機能の他、制御部３３と制御装置２０との間で信号を授受する際の回路を形成する。
【０００９】
図２は図１のインターホンシステム全体の動作を示すフローチャートであり、図３は、図２における住宅情報盤３０の処理の詳細を示したフローチャートである。
訪問者が集合玄関機１０のテンキー１１を操作して住戸番号を入力し、呼出釦１２を押すと、集合玄関機１０は、呼出し信号及び住宅番号情報を制御装置２０に送信する（Ｓ１１）。集合玄関機１０は、制御装置２０と回線（信号線）が接続されると、図示しない呼出し中の表示が点灯する。制御装置２０は、集合玄関機１０からの呼出し信号及び住戸番号情報が入力されると、それらを住宅情報盤３０に送信するとともに、タイマ２１をスタートさせる（Ｓ１２）。住宅情報盤３０においては、第１の呼出検出部３１が制御装置２０からの呼出し信号を検出すると、その呼出し信号及び住戸情報番号情報を制御部３３に出力する。制御部３３は第１の呼出検出部３１からの呼出し検出信号を入力すると、その呼出し信号は集合玄関機１０からの呼出しであると判定する（Ｓ１３）。呼出し信号が集合玄関機１０からの呼出しであると判定すると、次に、その呼出しが自機に対するものであるかどうかを、住戸番号情報に基づいて判定する（Ｓ１４）。自機に対する呼出しでなかった場合には処理を終了する。また、訪問者がドアホン４０の呼出釦４１を押すと、その呼出し信号は第２の呼出検出部３２により検出され、制御部３３は呼出し信号はドアホン４０からの呼出しであると判定する（Ｓ１３）。
【００１０】
制御部３３は呼出し信号が集合玄関機１０からのものであり、且つ自機に対するものであると判定した場合には、音声合成部３６により集合玄関用の音声を生成させてスピーカ３７ｂから出力させるとともに、呼出音出力タイマ３５を起動させる（Ｓ１５）。この場合には例えば「集合玄関機からの呼出しです。」と報知する。また、制御部３３は呼出し信号がドアホン４０からのものであると判定した場合には、音声合成部３６によりドアホン用の音声を生成させてスピーカ３７ｂから出力させる（Ｓ１６）。例えば「ドアホンからの呼出しです。」と報知する。このように制御部３３は、第１の呼出検出部３１が呼出しを検出したときには、集合玄関機１０からの呼出であることを音声出力部により音声で出力する。そして、第２の呼出検出部が呼出しを検出したときには、ドアホン４０からの呼出しであることを音声合成出力部により音声で出力する。
【００１１】
次に、制御部３３は、居住者による応答があるかどうかを、通話釦３４が操作されたかどうかに基づいて判定する（Ｓ１７）。例えば、通話釦３４がまだ操作されていない場合には、制御装置２０は、タイマ２１の計測時間に基づいて所定時間（例えば４５秒）が経過したかどうかを判定し（Ｓ１８）、所定時間を経過していなければステップＳ１９に進む。ここで呼出しが、例えば集合玄関機１０からの呼出しの場合には、呼出音出力タイマ３５が例えば１０秒毎に音声合成部３６に起動信号を出力し、スピーカ３７ｂから「集合玄関機から呼出しです。」と報知し（Ｓ１９）、上記の処理（Ｓ１７）に移行する。そして、処理（Ｓ１７）〜（Ｓ１９）の処理を繰り返し、制御装置２０がタイマ２１のカウントアップにより所定時間（例えば４５秒）が経過したという判定をした場合には、制御装置２０は集合玄関機１０に停止信号を出力して、集合玄関機１０との間の回線（信号線）を切断して集合玄関機１０からの呼出しを止める（Ｓ２０）。集合玄関機１０は回線が切断されたことにより呼出し中の表示が消えることになる（Ｓ２１）。
【００１２】
また、所定時間（例えば４５秒）が経過する前に、居住者が通話釦３４を操作し、制御部３３が、居住者が応答したという判定をした場合には（Ｓ１７）、スイッチ３８を閉じるとともにその旨を制御装置２０に送信し、制御装置２０は集合玄関機１０との回線（通話線）を接続し（Ｓ２２）、集合玄関機１０の通話部１３と住宅情報盤３０の通話部３７との間で通話が可能になる（Ｓ２３）。
【００１３】
以上のように本実施形態によれば、住宅情報盤３０は、第１の呼出検出部３１により集合玄関機１０からの呼出しを検出し、音声合成部３６及びスピーカ３７ｂにより集合玄関機１０からの呼出しであることを音声（例えば「集合玄関機から呼出しです。」）で出力するようにしたので、住戸の居住者は、集合玄関機１０からの呼出しであることを確実に認識することができる。
また、制御装置２０によりカウントされるタイムアップまでの間（例えば４５秒）であって、通話釦３４が操作されるまでの間に、所定時間毎（例えば１０秒毎）に、前記音声を出力するようにしたので、最初の呼出しの音声を聞き逃しても、住戸の居住者は、集合玄関機に訪問者が居て呼び出されていることを確実に把握することができる。また、その呼出しの時間が予め設定されている（例えば４５秒）ことから、回線（信号線）が独占されるような状態が避けられる。
また、住宅情報盤３０は、第２の呼出検出部３２によりドアホン４０からの呼出しを検出し、音声合成部３６及びスピーカ３７ｂによりドアホン４０からの呼出しであることを音声（例えば「ドアホンから呼出しです。」）で出力するようにしたので、住戸の居住者は、ドアホン４０からの呼出しであるか、集合玄関機１０からの呼出しであるかを容易に識別することができる。
【００１４】
なお、本実施形態においては、住宅情報盤３０においては２個のスイッチ３８，３９を用いた例について説明したが、１個の切替えスイッチに置き換えてもよい。
【００１５】
実施形態２．
上記の実施形態１においては、集合玄関機１０の訪問者を音声により案内する例について説明したが、音声によらずブザー音等の呼出し音によってもよい。その場合には音声合成部３６を省略することができる。その場合においても、制御装置２０のタイマ２１によりカウントされるタイムアップまでの間であって、且つ、通話釦３４が操作されるまでの間に、所定時間毎（例えば１０秒毎）に、その呼出し音を繰り返し出力することになるので、最初の呼出し音を聞き逃しても、住戸の居住者は、集合玄関機から呼び出されていることを確実に認識することができる。
なお、呼出に対して、一番始めにブザーで呼出音を出力し、その後、通話釦３４が操作されるまでの２回目以降の呼出音については、音声合成部を使用して音声による呼出を行うようにしてもよい。この場合、呼出音出力タイマ３５は、ブザーで呼出音を出力してから所定時間経過後に起動し、その後、数秒毎に、音声合成部３６に起動信号を出力する。なお、呼出音出力タイマ３５を設ける代わりに、制御装置２０のタイマ２１によってタイムアップされるまでの間にわたって、間欠的に呼出音を鳴動するブザーを使用するようにしてもよい。
【００１６】
実施形態３．
上記の実施形態１では、住宅情報盤３０に音声合成出力部を設け、音声の違いにより集合玄関機１０からの呼出であるのか、ドアホン４０からの呼出であるのかを識別できるようにしたが、住宅情報盤３０の表示部の変化によって、両者を識別できるようにしてもよい。
【００１７】
住宅情報盤３０は、集合玄関機１０やドアホン４０からのカメラ映像を出力するＬＣＤなどの表示装置を備えており、図１に示すように、住宅情報盤３０の制御部３４には、この表示装置が表示部５１として接続されている。なお、この表示部５１には、カメラ画像の他に、各種メニュー画面が表示される。そして、集合玄関機１０から呼出があり、第１の呼出検出部３１が呼出を検出したときには、制御部３４は、表示部５１全体を特定の色、例えば緑色で点滅するように制御する。
【００１８】
また、ドアホン４０から呼出があり、第２の呼出検出部３２が呼出を検出したときには、制御部３４は、表示部５１全体を例えば茶色で点滅するように制御する。ここでは集合玄関機１０からの呼出の場合は、特定の色として、緑色を設定し、ドアホン４０からの呼出の場合には、特定の色として茶色を設定したが、これらは、両者からの呼出を識別できるならば、どのような色に設定してもよい。また表示部の点滅は、呼出音声と同じように、通話釦３４が操作されるか、制御装置２０によるタイムアップがあるときに、制御部３３によって終了させる。
【００１９】
このように、呼出に応じて、表示部５１で点滅される色を変えたので、音の変化よりも違いがわかりやすく、どちらの玄関機１０からの呼出であるのかを識別しやすい。表示部５１の変化によって、ドアホン４０からの呼出であるか、集合玄関機１０からの呼出であるかを識別できるようにすると、耳の遠い又は小さな文字が見にくい高齢者などに特に有効となる。
ここで、表示部５１全体を点滅させるとしたが、居住者がある程度離れた場所からでも、視認できる大きさであれば、点滅させる領域は、表示部５１の所定面積を有する一部分であってもよい。
【図面の簡単な説明】
【００２０】
【図１】本発明の実施形態に係るインターホンシステムの構成を示すブロック図である。
【図２】図１のインターホンシステムの動作を示すフローチャートである。
【図３】住宅情報盤の処理の詳細を示したフローチャートである。
【符号の説明】
【００２１】
１０  集合玄関機、１１  テンキー、１２  呼出釦、１３  通話部、２０  制御装置、２１  タイマ、３０  住宅情報盤、３１  第１の呼出検出部、３２  第２の呼出検出部、３３  制御部、３４  通話釦、３５  呼出音出力タイマ、３６  音声合成部、３７  通話部、３７ａ  マイク、３７ｂ  スピーカ、３８，３９  スイッチ、４０  ドアホン、４１  呼出釦、４２  通話部。
【図１】
2008153819.tif 000003
【図２】
2008153819.tif 000004
【図３】
2008153819.tif 000005